(57)【要約】【課題】折り畳み線があっても着用者の肌に密着して隙間を生じ難く、該隙間からの液漏れを効果的に防止し得る吸収性物品を提供すること。【解決手段】中間部Ｍ又は後方部Ｒに、吸収性物品１の折り畳みによって形成された中央折り畳み線ＣＦＬが１本形成されている。中央折り畳み線ＣＦＬより縦方向Ｘの後方に位置する後方部Ｒにおける吸収体４は、縦方向Ｘに延びる後方スリットＲ１が配置された後方スリット領域ＲＳｒ，ＲＳｌを、仮想縦中心線ＣＬを挟んで両側に一対有する。その一対の後方スリット領域ＲＳｒ，ＲＳｌそれぞれには、後方スリットＲ１が１本のみ配置されているか、又は後方スリットＲ１が複数分散配置されている。【選択図】図１
2018050952.tif 000002
【特許請求の範囲】
【請求項１】
着用者の前後方向に相当する縦方向とこれに直交する横方向とを有し、液保持性の吸収体と該吸収体の肌対向面側に配置された表面シートとを具備する吸収性物品であって、
前記吸収性物品は、その折り畳みによって形成された１本の折り畳み線を境にして、縦方向前方の第１領域と、後方の第２領域とに区分され、
前記第１領域は、着用時に着用者の排泄部と対向する部分を含む中間部と、該中間部より縦方向前方に位置する前方部とからなり、前記第２領域は、該中間部より縦方向後方に位置する後方部からなり、
前記第２領域における前記吸収体は、縦方向に延びる後方スリットが配置された後方スリット領域を、該吸収体を横方向に二分して縦方向に延びる仮想縦中心線を挟んで両側に一対有している、吸収性物品。
【請求項２】
前記吸収体は、 前記中間部に、縦方向に延びる中央スリットが複数分散配置された中央スリット領域を有し、該中央スリット領域の縦方向後端から縦方向に２０ｍｍ以上離間した位置に、前記後方スリット領域の縦方向前端が存している請求項１に記載の吸収性物品。
【請求項３】
前記吸収体は、前記中間部の横方向中央部に、周辺部に比して厚みが大きく且つ肌対向面側に隆起した中高部を有し、該中高部に前記中央スリット領域が存している請求項２に記載の吸収性物品。
【請求項４】
一対の前記後方スリット領域間の横方向における間隔が最も狭い部分の間隔は、前記中央スリット領域において横方向に隣り合う２本の前記中央スリットどうしの横方向における間隔に比して広く、且つ前記中高部を横方向に５等分した場合の横方向中央の１領域の横方向長さに比して広い請求項３に記載の吸収性物品。
【請求項５】
前記中央スリット領域における複数の前記中央スリットの一部が、前記折り畳み線と重ならずに、前記中高部の縦方向後端を縦方向に跨いでいる請求項３又は４に記載の吸収性物品。
【請求項６】
前記後方スリット領域より縦方向後方に、前記吸収性物品の折り畳みによって形成された後方折り畳み線が形成されている請求項１〜５の何れか１項に記載の吸収性物品。
【請求項７】
前記後方部に、前記表面シート及び前記吸収体が着用者の肌とは反対側に一体的に凹陥した線状の溝として、平面視において前記吸収性物品の縦方向後端に向けて凸の凸状をなす外溝と、該外溝に囲まれた領域に位置し、該吸収性物品の縦方向後端に向けて凸の凸状をなす内溝とを有し、該外溝又は該内溝と前記後方スリットとが重なる請求項１〜６の何れか１項に記載の吸収性物品。
【発明の詳細な説明】
【技術分野】
【０００１】
本発明は、生理用ナプキン等の吸収性物品に関する。
【背景技術】
【０００２】
生理用ナプキン等の吸収性物品には、経血等の排泄物の漏れを抑制するため、着用者の身体形状に沿うように変形し、着用者の肌にフィット性良く密着することが望まれている。斯かる要望に応え得る技術として、吸収性物品の構成部材の中でも特に剛性の高い吸収体に、スリットや開口を形成する技術が知られている。
【０００３】
本出願人は、先に、吸収体の排泄部対向部における中央部に、縦スリットが分散して形成された中央スリット領域と、吸収体の後方部に、横方向に延びる後方スリットが縦方向に間欠的に配されて形成された後方スリット領域とを有する吸収性物品を提案した（特許文献１）。特許文献１に記載の吸収性物品によれば、深い折れ皺やヨレが発生し難く、フィット性が向上し、着用感が向上する。尚、縦方向は吸収性物品の着用者の前後方向に対応する方向、横方向は該縦方向に直交する方向である。
【０００４】
また特許文献２には、吸収体の一面側に非貫通のスリット部が複数形成され、該吸収体の他面側の該スリット部と厚さ方向で対応する位置に凹部が形成された吸収性物品が記載されている。この複数のスリット部は、平面視において横方向に延びる直線状をなし、吸収体の一面全体に分散配置されている。特許文献２によれば、複数の凹部を起点として吸収体を容易に変形させることが可能となるため、吸収性物品として十分な柔軟性を有し、快適な装着感を提供できるとされている。
【先行技術文献】
【特許文献】
【０００５】
【特許文献１】特開２０１５−２３９９９号公報
【特許文献２】特開２０１６−３４５９８号公報
【発明の概要】
【発明が解決しようとする課題】
【０００６】
一般に使用されている吸収性物品、例えば生理用ナプキンは、未使用時において、表面シートが内側になるように折り畳まれた状態とされているため、使用時には、その折り畳み線が残っている。このような折り畳み線を有する生理用ナプキンは、その折り畳み線に起因する折り癖の影響により着用者の肌に密着し難く、フィット性の低下や液流れによる漏れなどの不都合が発生しやすいという課題がある。特に、折り畳み線の形成位置及びその近傍の剛性が比較的低い場合は、折り癖が直りにくく前記課題が顕在化しやすい。特許文献１及び２には、このような折り畳み線の存在に起因する課題やその解決手段については記載されていない。
【０００７】
本発明の課題は、折り畳み線があっても液漏れを効果的に防止し得る吸収性物品を提供することに関する。
【課題を解決するための手段】
【０００８】
本発明は、着用者の前後方向に相当する縦方向とこれに直交する横方向とを有し、液保持性の吸収体と該吸収体の肌対向面側に配置された表面シートとを具備する吸収性物品であって、前記吸収性物品は、その折り畳みによって形成された１本の折り畳み線を境にして、縦方向前方の第１領域と、後方の第２領域とに区分され、前記第１領域は、着用時に着用者の排泄部と対向する部分を含む中間部と、該中間部より縦方向前方に位置する前方部とからなり、前記第２領域は、該中間部より縦方向後方に位置する後方部からなり、前記第２領域における前記吸収体は、縦方向に延びる後方スリットが配置された後方スリット領域を、該吸収体を横方向に二分して縦方向に延びる仮想縦中心線を挟んで両側に一対有している、吸収性物品を提供するものである。
【発明の効果】
【０００９】
本発明によれば、液漏れを効果的に防止し得る吸収性物品が提供される。
【図面の簡単な説明】
【００１０】
【図１】図１は、本発明の吸収性物品の一実施形態である生理用ナプキンの肌対向面側（表面シート側）を模式的に示す平面図である。
【図２】図２は、図１のＩ−Ｉ線断面を模式的に示す横断面図である。
【図３】図３は、図１のＩＩ−ＩＩ線断面を模式的に示す横断面図である。
【図４】図４は、図１に示す生理用ナプキンにおける吸収体の肌対向面側を模式的に示す平面図である。
【発明を実施するための形態】
【００１１】
以下、本発明の吸収性物品をその好ましい実施形態に基づき図面を参照して説明する。図１〜図３には、本発明の吸収性物品の一実施形態である生理用ナプキン１が示されている。ナプキン１は、図１に示すように、着用者の前後方向に対応し、着用者の腹側から股間部を介して背側に延びる縦方向Ｘと、これに直交する横方向Ｙとを有すると共に、着用時に着用者の排泄部（膣口等）と対向する部分である排泄部対向部を含む中間部Ｍと、該中間部Ｍより縦方向Ｘの前方即ち着用者の前側（腹側）に配される前方部Ｆと、該排中間部Ｍより縦方向Ｘの後方即ち着用者の後側（背側）に配される後方部Ｒとを有する。中間部Ｍの前記排泄部対向部は、中間部Ｍの横方向Ｙの中央部に位置する。
【００１２】
図１に示すように、ナプキン１は、その縦方向Ｘへの折り畳みによって形成された１本の中央折り畳み線ＣＦＬを境にして、縦方向Ｘの前方の第１領域と、後方の第２領域とに区分されるところ、該第１領域は中間部Ｍと前方部Ｆとからなり、該第２領域は後方部Ｒからなる。つまり、中央折り畳み線ＣＦＬは中間部Ｍと後方部Ｒとの境界をなしている。中央折り畳み線ＣＦＬは、肌対向面を形成する表面シート２を内側にして（非肌対向面を形成する裏面シート３を外側にして）、ナプキン１を縦方向Ｘに折り畳むことによって形成されており、横方向Ｙに延びる直線状をなしている。中央折り畳み線ＣＦＬは、ナプキン１の縦方向Ｘの中央部に形成されていれば良く、具体的には、ナプキン１の縦方向Ｘの中央を基準として、その基準から縦方向Ｘの前方側及び後方側それぞれにナプキン１の縦方向Ｘの全長の１０％以内の領域である。
【００１３】
また図１に示すように、ナプキン１の後方部Ｒには、後述する後方スリット領域ＲＳより縦方向Ｘの後方に、ナプキン１の折り畳みによって形成された後方折り畳み線ＲＦＬが１本形成されている。後方折り畳み線ＲＦＬも、中央折り畳み線ＣＦＬと同様に、肌対向面を形成する表面シート２を内側にしてナプキン１を縦方向Ｘに折り畳むことによって形成されており、横方向Ｙに延びる直線状をなしている。後方折り畳み線ＲＦＬは、後述する外溝６と内溝７との間を横方向Ｙに延びている。後方折り畳み線ＲＦＬは通常、ナプキン１の縦方向Ｘの後端から縦方向Ｘの前方側にナプキン１の縦方向Ｘの全長の１０〜３０％離間した位置に形成される。
【００１４】
また図１に示すように、ナプキン１の前方部Ｆには、ナプキン１の折り畳みによって形成された前方折り畳み線ＦＦＬが１本形成されている。前方折り畳み線ＦＦＬも、中央折り畳み線ＣＦＬ及び後方折り畳み線ＲＦＬと同様に、肌対向面を形成する表面シート２を内側にしてナプキン１を縦方向Ｘに折り畳むことによって形成されており、横方向Ｙに延びる直線状をなしている。前方折り畳み線ＦＦＬは通常、ナプキン１の縦方向Ｘの前端から縦方向Ｘの後方側にナプキン１の縦方向Ｘの全長の１０〜３０％離間した位置に形成される。
【００１５】
このように、ナプキン１は、縦方向Ｘの前側から順に、前方折り畳み線ＦＦＬ、中央折り畳み線ＣＦＬ、後方折り畳み線ＲＦＬの合計３本の折り畳み線を有し、これらの折り畳み線は、ナプキン１が縦方向Ｘに折り畳まれて個包装される際に使用される。つまり、ナプキン１の個包装形態は、３本の折り畳み線による四つ折り形態である。
【００１６】
ナプキン１は、図１に示すように、縦方向に長い形状の吸収性本体１０と、吸収性本体１０における中間部Ｍの縦方向Ｘに沿う両側部それぞれから横方向Ｙの外方に延出する一対のウイング部１０Ｗ，１０Ｗとを有している。
【００１７】
本発明の吸収性物品における中間部Ｍは、ナプキン１のように吸収性物品がウイング部を有する場合には、中央折り畳み線ＣＦＬとウイング部前端部とで区分される領域であるところ、ここでいう「ウイング部前端部」とは、ナプキン１を例にとれば、一方のウイング部１０Ｗの縦方向Ｘの前方側の付け根である。つまり中間部Ｍは、一方のウイング部１０Ｗの前方側の付け根を通って横方向Ｙに延びる仮想直線を縦方向Ｘの前端とし、中央折り畳み線ＣＦＬを縦方向Ｘの後端とする、１つの連続した領域である。尚、ナプキン１においては、一対のウイング部１０Ｗ，１０Ｗは、ナプキン１を横方向Ｙに二分して縦方向Ｘに延びる縦中心線ＣＬを基準として左右対称に形成されており、一方のウイング部１０Ｗの前記前方側の付け根と他方のウイング部１０Ｗのそれとは、縦方向Ｘにおいて同位置に存する。
【００１８】
また、ウイング部を有しない吸収性物品（図示せず）における中間部Ｍは、該吸収性物品が個装形態に折り畳まれた際に生じる、該吸収性物品を横方向（幅方向、図中のＹ方向）に横断する２本の折り畳み線について、該吸収性物品の縦方向の前端から数えて第１折り畳み線と第２折り畳み線とに囲まれた領域を意味する。これを図１に即して説明すると、前方折り畳み線ＦＦＬがここでいう第１折り畳み線に相当し、中央折り畳み線ＣＦＬがここでいう第２折り畳み線に相当する。つまり、図１に示すナプキン１において、仮に、一対のウイング部１０Ｗ，１０Ｗが存在しない場合には、そのウイング部を有しないナプキン１における中間部Ｍは、前方折り畳み線ＦＦＬを縦方向Ｘの前端とし、中央折り畳み線ＣＦＬを縦方向Ｘの後端とする、１つの連続した領域である。
【００１９】
ナプキン１は、液保持性の吸収体４及び該吸収体４の肌対向面側に配置された表面シート２を具備する。より具体的には、ナプキン１を構成する吸収性本体１０は、肌対向面を形成する表面シート２、非肌対向面を形成する裏面シート３、及び両シート２，３間に介在された吸収体４を具備する。吸収性本体１０は、縦方向Ｘにおいて前方側即ち着用者の前側から順に、前方部Ｆ、中間部Ｍ及び後方部Ｒの３つの領域に区分される。縦方向Ｘは、ナプキン１及び吸収性本体１０の長手方向に一致し、横方向Ｙは、ナプキン１及び吸収性本体１０の長手方向に直交する幅方向に一致する。
【００２０】
本明細書において、「肌対向面」は、吸収性物品又はその構成部材（例えば吸収体４）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００２１】
図２及び図３に示すように、表面シート２は、吸収体４の肌対向面の全域を被覆し、その縦方向Ｘに沿う両側縁は、吸収体４の縦方向Ｘに沿う両側縁と略同位置に存している。一方、裏面シート３は、吸収体４の非肌対向面の全域を被覆し、さらに吸収体４の縦方向Ｘに沿う両側縁から横方向Ｙの外方に延出して、後述する防漏カフ形成用シート５と共にサイドフラップ部１０Ｓを形成している。裏面シート３と防漏カフ形成用シート５とは、吸収体４の縦方向Ｘに沿う両側縁からの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３と吸収体４との間はそれぞれ接着剤によって接合されていても良い。表面シート２、裏面シート３としては、生理用ナプキン等の吸収性物品に従来使用されている各種のもの等を特に制限なく用いることができる。例えば、表面シート２としては、単層又は多層構造の不織布や、開孔フィルム等を用いることができる。裏面シート３としては、透湿性の樹脂フィルム等を用いることができる。
【００２２】
サイドフラップ部１０Ｓは、図１に示すように、中間部Ｍにおいて横方向Ｙの外方に向かって大きく張り出しており、これにより吸収性本体１０の縦方向Ｘに沿う左右両側に、一対のウイング部１０Ｗ，１０Ｗが延設されている。ウイング部１０Ｗは、図１に示す如き平面視において、下底（上底に比して長い辺）が吸収性本体１０側に位置する略台形形状を有しており、その非肌対向面には、該ウイング部１０Ｗをショーツ等の着衣に固定するウイング部粘着部（図示せず）が形成されている。ウイング部１０Ｗは、ショーツ等の着衣のクロッチ部の非肌対向面即ち外面側に折り返されて用いられる。また、サイドフラップ部１０Ｓは、後方部Ｒにおいても横方向Ｙの外方に向かって大きく張り出しており、これにより吸収性本体１０の縦方向Ｘに沿う左右両側に、一対の後方フラップ部１０Ｈ，１０Ｈが延設されている。後方フラップ部１０Ｈは、これを着衣に固定する際に折り返されず、その非肌対向面が広げられた状態即ち吸収性本体１０の側方に延ばされた状態で、その非肌対向面に形成された後方粘着部（図示せず）を介して、着衣の肌対向面即ち内面に固定される。前記ウイング部粘着部及び前記後方粘着部は、その使用前においてはフィルム、不織布、紙等からなる剥離シート（図示せず）によって被覆されている。
【００２３】
吸収性本体１０の肌対向面即ち表面シート２の肌対向面における縦方向Ｘに沿う両側部には、平面視において吸収体４の縦方向Ｘに沿う左右両側部に重なるように、一対の防漏カフ形成用シート５，５が吸収性本体１０の縦方向Ｘの略全長に亘って配されている。一対の防漏カフ形成用シート５，５は、それぞれ縦方向Ｘに延びる接合線５１にて、接着剤等の公知の接合手段によって表面シート２に接合されており、接合線５１より横方向Ｙの内方に位置する内側縁部が自由端部となっている。防漏カフ形成用シート５は、例えば、自由端部側を折り返し、その折り返し部分の内部に縦方向Ｘに延びる防漏カフ形成用弾性部材を配しても良い。このように防漏カフ形成用弾性部材を配すると、防漏カフ形成用弾性部材の収縮力により、折り返し部分が着用者の肌側に向かって起立する、防漏カフが形成されるようになる。このように防漏カフが形成されると、ナプキン１の肌対向面に排泄された経血等の排泄液の横漏れを防止することができる。
【００２４】
吸収体４について説明すると、吸収体４は高吸収性ポリマー及び親水性繊維を含有する。高吸収性ポリマーとしては、一般に粒子状のものが用いられるが、繊維状のものでも良い。粒子状の高吸収性ポリマーを用いる場合、その形状は球状、塊状、俵状又は不定形のいずれでも良い。高吸収性ポリマーとしては、一般に、アクリル酸又はアクリル酸アルカリ金属塩の重合物又は共重合物を用いることができる。また、親水性繊維としては、本来的に親水性の繊維でも良く、あるいは疎水性繊維を親水化処理した繊維でも良いが、前者の繊維が特に好ましい。本来的に親水性の繊維としては、天然系の繊維、セルロース系の再生繊維又は半合成繊維が好ましい例として挙げられ、好ましいものとして、パルプ、レーヨンを例示できる。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いても良い。
【００２５】
ナプキン１における吸収体４は、図１〜図３に示すように、着用時に着用者の排泄部に対向配置される中央吸収性シート４１と、平面視において中央吸収性シート４１と重なる部分及び中央吸収性シート４１の周縁から外方に延出する部分を有する本体吸収性シート４２とを含んで構成されており、複数枚のシートの積層構造体である。両吸収性シート４１，４２は何れも、親水性繊維及び高吸収性ポリマーを含有する。
【００２６】
本発明において「吸収性シート」とは、高吸収性ポリマー、親水性繊維等の吸収性材料を含むシート状の吸収構造体を意味し、吸収性材料を積繊してなる積繊体とは区別される。一般に、吸収性シートは、吸収性材料の積繊体に比して厚みが薄く低剛性であるため、吸収性シートを備えた吸収性物品は、厚みが薄い薄型であり、柔軟で着用感に優れ、またコンパクトに折り畳めてハンドリング性にも優れる。斯かる吸収性シートの特長をより有効に活用し、液拡散性、液保持性を十分に備え装着感の良好な吸収性物品を得る観点から、吸収性シートの１枚あたりの５ｃＮ／ｃｍ２の荷重下での厚みは、好ましくは０．１ｍｍ以上、さらに好ましくは０．３ｍｍ以上、そして、好ましくは２ｍｍ以下、さらに好ましくは１．５ｍｍ以下である。吸収性シートとしては例えば、特許第２９６３６４７号公報、特許第２９５５２２３号公報に記載のものを利用することができる。吸収性シートとして好ましいものを例示すると、湿潤状態の高吸収性ポリマーに生じる粘着力や別に添加した接着剤や接着性繊維等のバインダーを介して、構成繊維間や構成繊維と高吸収性ポリマーとの間を結合させてシート状としたものが挙げられる。
【００２７】
中央吸収性シート４１は、図１に示すように、中間部Ｍ、あるいは中間部Ｍ及び前方部Ｆの中間部Ｍ寄りの部分において、ナプキン１又は吸収性本体１０の横方向Ｙの中央部に配されている。また中央吸収性シート４１は、図２に示すように、該シート４１を折り畳んでなる多層構造をなしている。この中央吸収性シート４１の折り畳み多層構造は、１枚の平面視略矩形形状の該シート４１が、該シート４１を横方向Ｙに略三等分する位置を通って縦方向Ｘに延びる２本の折り曲げ線にて同一面側（肌対向面側）に折り曲げられて、いわゆる巻き三つ折り状態に形成されたものであり、該シート４１の３層構造を有している。
【００２８】
また、本体吸収性シート４２も、図２及び図３に示すように、該シート４２を折り畳んでなる多層構造をなしている。この本体吸収性シート４２の折り畳み多層構造は、１枚の平面視略矩形形状の該シート４２が、縦方向Ｘに延びる２本の折り曲げ線にて同一面側（非肌対向面側）に折り曲げられ、且つ該シート４１の縦方向Ｘに沿う両端縁どうしが横方向Ｙの中央部で重ね合わされて形成されたものであり、その両端縁の重ね合わせ部は該シート４２の３層構造、該重ね合わせ部以外の部分は該シート４２の２層構造を有している。本体吸収性シート４２の折り畳み多層構造は、吸収体４の外形を形成している。
【００２９】
このように、ナプキン１における吸収体４は、１枚の本体吸収性シート４２の折り畳み構造の内部に、１枚の中央吸収性シート４１の折り畳み構造が内包された構成を有しているところ、中間部Ｍの横方向Ｙの中央部は、この中央吸収性シート４１の折り畳み構造が配されていることによって、周辺部に比して厚みが大きく且つ肌対向面側に隆起した中高部４３となっている。一方、吸収体４における中高部４３以外の部位は、中央吸収性シート４１の折り畳み構造が無く、本体吸収性シート４２の折り畳み構造を含んで構成されており、中高部４３に比して厚みの小さい標準吸収部４４となっている。
【００３０】
中高部４３は、図１に示すように、平面視において長方形形状をなし、その長手方向を縦方向Ｘに一致させて、中間部Ｍの横方向Ｙの中央部に配されている。但し、中高部４３の平面視形状は任意に選択可能であり、長方形形状に限定されない。中高部４３の縦方向Ｘの長さは、好ましくは６０ｍｍ以上、さらに好ましくは８０ｍｍ以上、そして、好ましくは１５０ｍｍ以下、さらに好ましくは１２０ｍｍ以下である。また中高部４３の横方向Ｙの長さは、好ましくは２５ｍｍ以上、さらに好ましくは３０ｍｍ以上、そして、好ましくは５５ｍｍ以下、さらに好ましくは５０ｍｍ以下である。
【００３１】
吸収体４における中高部４３の厚みは、好ましくは０．７ｍｍ以上、さらに好ましくは１ｍｍ以上、そして、好ましくは５ｍｍ以下、さらに好ましくは４ｍｍ以下である。中高部４３の厚みを斯かる範囲とすることで、中高部４３が形成されている中間部Ｍにおける良好な装着感と高い吸収性能を両立することが容易となる。また、ナプキン１のように吸収性物品がウイング部を備えている場合には、装着時に中間部Ｍでの吸収体のヨレを抑制しやすくなる。また、吸収体４における標準吸収部４４の厚みは、好ましくは０．３ｍｍ以上、さらに好ましくは０．５ｍｍ以上、そして、好ましくは３ｍｍ以下、さらに好ましくは２．５ｍｍ以下である。標準吸収部４４の厚みを斯かる範囲とすることで、高い吸収性能と着用者の動きへの追従性をより一層高めることが可能となる。吸収体及び吸収性シートの厚みは下記方法により測定される。
【００３２】
＜吸収性シート及び吸収体の厚みの測定方法＞
測定対象物である吸収性シート又は吸収体を水平な場所にシワや折れ曲がりがないように静置し、５ｃＮ／ｃｍ２の荷重下での厚みを測定する。本発明における厚みの測定には、厚み計PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ２となるようにプレートの大きさを調整する。
【００３３】
ナプキン１の後方部Ｒの肌対向面には、表面シート２及び吸収体４が着用者の肌とは反対側即ち裏面シート３側に一体的に凹陥した溝として、図１に示す如き平面視において、ナプキン１の縦方向Ｘの後端に向けて凸の凸状をなす外溝６と、該外溝６に囲まれた領域に位置し、ナプキン１の縦方向Ｘの後端に向けて凸の凸状をなす内溝７とが形成されている。溝６，７は平面視において線状をなしている。ここでいう「線状」とは、溝即ち凹陥部の形状が平面視において直線に限られず、曲線を含んでいることを意味する。線状の溝６，７は、連続線でも破線等のような不連続線でも良い。ここでいう「連続線の溝」には、相対的に溝の深さが深い深陥部と、相対的に溝の深さが浅い浅陥部とが混在する形態が含まれ、また、「不連続線の溝」には、表面シート２の凹陥部と非凹陥部即ち平坦部とがその溝の延びる方向に交互に配されている形態が含まれる。この不連続線の溝において、前記非凹陥部の該溝の延びる方向の長さ即ち凹陥部どうしの間隔は、通常５．０ｍｍ以下である。溝６，７によって、吸収体４の平面方向特に横方向Ｙの液の拡散が抑制される、吸収体４のヨレが防止される、などの効果が奏され得る。溝６，７は、熱を伴うか又は伴わない圧搾加工、あるいは超音波エンボス等のエンボス加工により常法に従って形成することができる。溝６，７においては、表面シート２及び吸収体４が熱融着等により一体化しており、溝６，７の底部はそれらの周辺部に比して高密度である。
【００３４】
外溝６は、図１に示す如き平面視において、中高部４３及び内溝７を包囲する閉じた環状をなし、ナプキン１あるいは吸収体４を横方向Ｙに二分して縦方向Ｘに延びる縦中心線ＣＬを基準として左右対称に形成されている。外溝６は、後方部Ｒのみならず、前方部Ｆから中間部Ｍを通って後方部Ｒにわたって連続している。内溝７は、中高部４３より縦方向Ｘの後方に位置し、縦中心線ＣＬを基準として左右対称に形成され、縦方向Ｘの後端７０に凸の頂部を有し、縦方向Ｘの前端側即ち中高部４３側は開放されている。
【００３５】
図１及び図４に示すように、前記第２領域たる後方部Ｒにおける吸収体４は、縦方向Ｘに延びる後方スリットＲ１が配置された後方スリット領域ＲＳｒ，ＲＳｌを、吸収体４を横方向Ｙに二分して縦方向Ｘに延びる仮想縦中心線ＣＬを挟んで両側に一対有している。一方の後方スリット領域ＲＳｒと他方の後方スリット領域ＲＳｌとは横方向Ｙに離間している。
【００３６】
後方スリットＲ１は、吸収体４に形成された切れ目であり、後方スリットＲ１の形成位置においては吸収体４の形成材料が切断され又は形成材料が他の部位よりも相互に離れて分離されている。ナプキン１においては、後方スリットＲ１は平面視直線状をなしているが、後方スリットＲ１の平面視形状はこれに限定されず波線等でも良い。また後方スリットＲ１は、縦方向Ｘに延びていれば良く、図示の如く縦中心線ＣＬに対して平行でなくても良く、縦中心線ＣＬとのなす角度が４５度未満であれば良い。
【００３７】
一対の後方スリット領域ＲＳｒ，ＲＳｌそれぞれにおいては、後方スリットＲ１が１本のみ配置されているか、又は後方スリットＲ１が複数分散配置されている。ナプキン１においては、図１及び図４に示すように、一対の後方スリット領域ＲＳｒ，ＲＳｌそれぞれには４本の後方スリットＲ１が分散配置されている。後方スリット領域ＲＳｒ，ＲＳｌに後方スリットＲ１が１本のみ配置されている場合、その１本の後方スリットＲ１自体が後方スリット領域ＲＳｒ，ＲＳｌである。また、後方スリット領域ＲＳｒ，ＲＳｌに後方スリットＲ１が複数分散配置されている場合、その領域ＲＳｒ，ＲＳｌの範囲は、それぞれ図４に示すように、縦方向Ｘの最も前方に位置する後方スリットＲ１の前端から最も後方に位置する後方スリットＲ１の後端までを縦方向長さとし、横方向Ｙの最も内側に位置する後方スリットＲ１の内側縁から最も外側に位置する後方スリットＲ１の外側縁までを横方向長さとする、平面視四角形の範囲である。
【００３８】
一対の後方スリット領域ＲＳｒ，ＲＳｌそれぞれに存する後方スリットＲ１の数は特に制限されないが、好ましくは２本以上、さらに好ましくは３本以上、そして、好ましくは９本以下、さらに好ましくは７本以下である。
【００３９】
一対の後方スリット領域ＲＳｒ，ＲＳｌがそれぞれ後方スリットＲ１を複数有している場合、その複数の後方スリットＲ１は互いに、平面視形状及び縦中心線ＣＬに対する傾斜角度の何れか一方又は両方が同じでも良く、異なっていても良い。また、一対の後方スリット領域ＲＳｒ，ＲＳｌがそれぞれ後方スリットＲ１を複数有している場合、その複数の後方スリットＲ１が縦方向Ｘに一列に並ぶパターンよりも、図４に示す如き、横方向Ｙの位置が異なる２本以上の後方スリットＲ１が存するパターンが好ましい。
【００４０】
ナプキン１では、図４に示すように、後方スリット領域ＲＳｒ，ＲＳｌそれぞれにおける複数の後方スリットＲ１は、平面視形状及び縦中心線ＣＬに対する傾斜角度が互いに同じであり、各後方スリットＲ１は縦中心線ＣＬに平行に直線で延びている。後方スリット領域ＲＳｒ，ＲＳｌそれぞれには４本の後方スリットＲ１が存しており、その４本の後方スリットＲ１は縦方向Ｘ及び横方向Ｙの両方向に分散した状態で配され、より具体的には千鳥状に配されている。この後方スリット領域ＲＳｒ，ＲＳｌそれぞれにおける後方スリットＲ１の千鳥状配置は、具体的には、複数（２本）の後方スリットＲ１が縦方向Ｘに間欠配置されたスリット列が形成され、且つ該スリット列を横方向Ｙに投影したときに、該スリット列を構成する後方スリットＲ１の投影像の間に、該スリット列と横方向Ｙにおいて隣接する他の後方スリットＲ１の投影像が配置されるものである。
【００４１】
後方スリットＲ１は、図３に示すように、吸収体４を構成する吸収性シートの積層体を貫通していることが好ましい。また後方スリットＲ１は、図３に示すように、吸収体４の上下に配される表面シート２及び裏面シート３には形成されておらず、さらに、表面シート２と吸収体４との間に配されることのある不織布からなる中間シートにも形成されていないことが好ましい。
【００４２】
ナプキン１の主たる特徴の１つとして、図１及び図４に示すように、１）後方スリット領域ＲＳｒ，ＲＳｌが縦中心線ＣＬを挟んで両側に一対配されている点、及び２）後方スリット領域ＲＳｒ，ＲＳｌが前記第２領域たる後方部Ｒに配されている点、即ち、中央折り畳み線ＣＦＬより後方に配されている点、即ち、後方スリット領域ＲＳｒ，ＲＳｌにおける後方スリットＲ１が中央折り畳み線ＣＦＬと重なっていない点が挙げられる。
【００４３】
通常の生理用ナプキンでは、ナプキン１における中央折り畳み線ＣＦＬの如き折り畳み線が形成されていると、その折り癖の影響により、使用時に着用者の肌に密着せずに肌から離間し、フィット性や漏れ防止性が不十分となることが懸念される。特に、ナプキン１における中央折り畳み線ＣＦＬの形成位置は、中高部４３のような肉厚で剛性の高い部位ではないため、中央折り畳み線ＣＦＬに起因する折り癖が強く現れやすく、フィット性の低下が顕在化しやすい。しかしながら、ナプキン１は前記１）及び２）を具備しているため、その着用時において、一対の後方スリット領域ＲＳｒ，ＲＳｌに挟まれた部分（後方部Ｒの横方向Ｙの中央部）が着用者の臀部の溝（臀裂）に沿うように隆起変形すると共に、特に着用者の肌に対する密着性が低くなりがちな部位である、中高部４３の縦方向Ｘの後端から中央折り畳み線ＣＦＬにわたる部位も、斯かる後方部Ｒの変形に追随して着用者の肌に密着するようになる。従ってナプキン１は、中央折り畳み線ＣＦＬが形成されているにもかかわらず、着用者の肌に密着して隙間を生じ難く、該隙間からの液漏れを効果的に防止することができる。
【００４４】
特に前記１）の採用により、吸収体４における一対の後方スリット領域ＲＳｒ，ＲＳｌに挟まれた部分（後方部Ｒの横方向Ｙの中央部）は、スリット（切れ目）が形成されていないため、後方スリット領域ＲＳｒ，ＲＳｌに比して高い剛性を有することとなり、その結果、後方部Ｒ（特に縦方向Ｘにおいて後方スリット領域ＲＳｒ，ＲＳｌと同位置にある領域及びその近傍）の可撓軸が、横方向Ｙの中央部より横方向Ｙの外側に形成される。そのため、ナプキン１の着用時に、着用者の大腿部により、吸収体４を横方向Ｙに圧縮する力が加えられた場合、一対の後方スリット領域ＲＳｒ，ＲＳｌに挟まれた横方向Ｙの中央部が、着用者の肌側に向かって面を持って隆起し、着用者の臀裂に平面的に且つ安定的に沿うようになる。またこのように、着用者の肌側に隆起変形して着用者の臀裂に沿うようになった部分の横方向Ｙの両側には後方スリット領域ＲＳｒ，ＲＳｌが配され、その後方スリット領域ＲＳｒ，ＲＳｌにおける後方スリットＲ１にて吸収体４が分断されているため、排泄液の面方向への拡散、特に横方向Ｙへの拡散が抑制され、これにより液流れや漏れが効果的に防止されるようになる。
【００４５】
また前記２）の採用により、後方スリット領域ＲＳｒ，ＲＳｌにおける後方スリットＲ１が中央折り畳み線ＣＦＬと重なっておらず、中央折り畳み線ＣＦＬから縦方向Ｘに所定距離離間した位置に後方スリットＲ１が形成されているため、中央折り畳み線ＣＦＬの形成位置及びその近傍においてスリット（切れ目）形成による剛性の低下が最小限に抑えられており、そのためナプキン１の着用時において、中央折り畳み線ＣＦＬが後方部Ｒ側から押し上げられるようになり、フィット性の向上に寄与する。
【００４６】
前記１）及び２）の採用による作用効果をより確実に奏させるようにする観点から、一対の後方スリット領域ＲＳｒ，ＲＳｌ間の横方向Ｙにおける間隔が最も狭い部分の間隔ｄ１（図４参照）は、好ましくは１０ｍｍ以上、さらに好ましくは２０ｍｍ以上、そして、好ましくは４０ｍｍ以下、さらに好ましくは３０ｍｍ以下である。
【００４７】
また同様の観点から、中央折り畳み線ＣＦＬと後方スリット領域ＲＳｒ，ＲＳｌとの間隔ｄ２、即ち、中央折り畳み線ＣＦＬと後方スリット領域ＲＳｒ，ＲＳｌにおいて縦方向Ｘの最前方に位置する後方スリットＲ１との間隔ｄ２（図４参照）は、好ましくは１０ｍｍ以上、さらに好ましくは１５ｍｍ以上、そして、好ましくは４０ｍｍ以下、さらに好ましくは３５ｍｍ以下である。尚、中央折り畳み線ＣＦＬは、実際の製品においては通常、縦方向Ｘに所定の長さ即ち幅を有し、図示の如き細線よりも幅広の平面視細帯状をなしているところ、そのような細帯状の中央折り畳み線ＣＦＬについての前記間隔ｄ２は、該中央折り畳み線ＣＦＬの延びる方向（図示の形態では横方向Ｙ）に沿う一対の側端部（前方側端部、後方側端部）のうちの縦方向Ｘの後方側に位置する、後方側端部を、中央折り畳み線ＣＦＬ側の測定位置として測定されたものを意味し、即ち、この中央折り畳み線ＣＦＬの後方側端部と後方スリット領域ＲＳｒ，ＲＳｌとの距離を意味する。また、中央折り畳み線が図４に示すような横方向Ｙに平行な直線状ではない場合には、その非直線状の中央折り畳み線ＣＦＬと後方スリット領域ＲＳｒ，ＲＳｌとの間隔ｄ２は、縦中心線ＣＬ上に位置する該中央折り畳み線ＣＦＬの前記後方側端部を該中央折り畳み線ＣＦＬ側の測定位置として測定されたものを意味する。
【００４８】
また同様の観点から、後方スリットＲ１の各部の寸法等は下記のように設定することが好ましい。
後方スリットＲ１の縦方向Ｘの長さＬ１（図４参照）は、好ましくは１０ｍｍ以上、さらに好ましくは１５ｍｍ以上、そして、好ましくは３５ｍｍ以下、さらに好ましくは２５ｍｍ以下である。
後方スリットＲ１の横方向Ｙの長さ即ち幅ｂ１（図４参照）は、好ましくは０．１ｍｍ以上、さらに好ましくは０．２ｍｍ以上、そして、好ましくは１ｍｍ以下、さらに好ましくは０．８ｍｍ以下である。
後方スリット領域ＲＳｒ，ＲＳｌにおいて、複数の後方スリットＲ１が縦方向Ｘに一列に配されてなる、縦スリット列内における後方スリットＲ１，Ｒ１の縦方向Ｘの間隔（１つの後方スリット領域において縦方向において互いに最も近接する後方スリットどうしの縦方向の間隔）ｄ３（図４参照）は、好ましくは１０ｍｍ以上、さらに好ましくは１５ｍｍ以上、そして、好ましくは３５ｍｍ以下、さらに好ましくは２５ｍｍ以下である。
後方スリット領域ＲＳｒ，ＲＳｌにおいて、複数の後方スリットＲ１が横方向Ｙに一列に配されてなる、横スリット列内における後方スリットＲ１，Ｒ１の横方向Ｙの間隔（１つの後方スリット領域において横方向において互いに最も近接する後方スリットどうしの横方向の間隔）ｄ４（図４参照）は、好ましくは５ｍｍ以上、さらに好ましくは１０ｍｍ以上、そして、好ましくは２５ｍｍ以下、さらに好ましくは２０ｍｍ以下である。
【００４９】
ナプキン１においては、図１に示すように、後方部Ｒにおいて、外溝６又は内溝７と後方スリットＲ１とが重なっている。即ち図１に示す如き平面視において、後方スリット領域ＲＳｒ，ＲＳｌにおける複数の後方スリットＲ１の少なくとも一部が、外溝６若しくは内溝７又は両溝６，７の両方と重なっている。斯かる構成により、溝６，７と後方スリットＲ１との重なり部分における屈曲性がより一層高まるため、後方スリット領域ＲＳｒ，ＲＳｌに挟まれた部分（後方部Ｒの横方向Ｙの中央部）をより一層安定的に隆起させることができ、より一層効果的にナプキン１の着用者の臀部の溝（臀裂）に沿う形状変化が可能となる。
【００５０】
後方スリットＲ１（後方スリット領域ＲＳｒ，ＲＳｌ）は、縦方向Ｘにおいて内溝７の縦方向Ｘの後端７０と同位置か、又は後端７０より縦方向Ｘの前方に位置することが好ましい。ナプキン１においては、図１に示すように後者が採用されている。斯かる構成により、内溝７をナプキン１の着用者の臀部の溝（臀裂）に沿わせるための、内溝７及びその近傍の形状変化を、より効果的に発現できる。
【００５１】
ナプキン１においては、図１、図２及び図４に示すように、吸収体４は中間部Ｍに、縦方向Ｘに延びる中央スリットＭ１が複数分散配置された中央スリット領域ＭＳを有している。中央スリット領域ＭＳは中高部４３と重なるように存している。中高部４３に中央スリット領域ＭＳが存していることにより、ナプキン１の着用時に、着用者の大腿部により、吸収体４を横方向Ｙに圧縮する力が加えられても、吸収体４が、中央スリット領域ＭＳの多様な部位で細かく変形するため、吸収体４やナプキン１に、深さの深い折れ皺が生じにくい。そのため、深い折れ皺に起因する不都合、例えば、着用者が違和感を覚える、折れ皺に沿って液が流れて漏れにつながる等が効果的に防止され得る。従ってナプキン１によれば、中央スリット領域ＭＳ及び後方スリット領域ＲＳｒ，ＲＳｌの双方による作用効果により、着用時に着用者の肌に密着して隙間を生じ難く、該隙間からの液漏れが効果的に防止される。
【００５２】
中央スリットＭ１は、吸収体４に形成された切れ目であり、中央スリットＭ１の形成位置においては吸収体４の形成材料が切断され又は形成材料が他の部位よりも相互に離れて分離されている。ナプキン１においては、中央スリットＭ１は平面視直線状をなしているが、中央スリットＭ１の平面視形状はこれに限定されず波線等でも良い。また中央スリットＭ１は、縦方向Ｘに延びていれば良く、図示の如く縦中心線ＣＬに対して平行でなくても良く、縦中心線ＣＬとのなす角度が４５度未満であれば良く、３０度未満であることが好ましく、特に１０度未満であることが好ましく、０度であることが最も好ましい。
【００５３】
中央スリット領域ＭＳには中央スリットＭ１が１本以上あれば良い。中央スリット領域ＭＳに存する中央スリットＭ１の数は特に制限されないが、好ましくは１０本以上、さらに好ましくは２０本以上、そして、好ましくは４０本以下、さらに好ましくは３０本以下である。中央スリット領域ＭＳが中央スリットＭ１を複数有している場合、その複数の中央スリットＭ１は互いに、平面視形状及び縦中心線ＣＬに対する傾斜角度の何れか一方又は両方が同じでも良く、異なっていても良い。また、中央スリット領域ＭＳが中央スリットＭ１を複数有している場合、その複数の中央スリットＭ１が縦方向Ｘに一列に並ぶパターンよりも、図４に示す如き、横方向Ｙの位置が異なる２本以上の中央スリットＭ１が存するパターンが好ましい。
【００５４】
中央スリットＭ１の各部の寸法等は下記のように設定することが好ましい。
中央スリットＭ１の縦方向Ｘの長さＬ２（図４参照）は、好ましくは１０ｍｍ以上、さらに好ましくは１５ｍｍ以上、そして、好ましくは３５ｍｍ以下、さらに好ましくは２５ｍｍ以下である。
中央スリットＭ１の横方向Ｙの長さ即ち幅ｂ２（図４参照）は、好ましくは０．１ｍｍ以上、さらに好ましくは０．２ｍｍ以上、そして、好ましくは１ｍｍ以下、さらに好ましくは０．８ｍｍ以下である。
中央スリット領域ＭＳにおいて、複数の中央スリットＭ１が縦方向Ｘに一列に配されてなる、縦スリット列内における中央スリットＭ１，Ｍ１の縦方向Ｘの間隔（中央スリット領域において縦方向において互いに最も近接する中央スリットどうしの縦方向の間隔）ｄ５（図４参照）は、好ましくは１０ｍｍ以上、さらに好ましくは１５ｍｍ以上、そして、好ましくは３５ｍｍ以下、さらに好ましくは２５ｍｍ以下である。
中央スリット領域ＭＳにおいて、複数の中央スリットＭ１が横方向Ｙに一列に配されてなる、横スリット列内における中央スリットＭ１，Ｍ１の横方向Ｙの間隔（中央スリット領域において横方向において互いに最も近接する中央スリットどうしの横方向の間隔）ｄ６（図４参照）は、好ましくは５ｍｍ以上、さらに好ましくは１０ｍｍ以上、そして、好ましくは２５ｍｍ以下、さらに好ましくは２０ｍｍ以下である。
【００５５】
また、一対の後方スリット領域ＲＳｒ，ＲＳｌ間の横方向Ｙにおける間隔が最も狭い部分の間隔ｄ１（図４参照）は、中央スリット領域ＭＳにおいて横方向Ｙに隣り合う２本の中央スリットＭ１，Ｍ１どうしの横方向Ｙにおける間隔ｄ６（図４参照）に比して広く、且つ中高部４３を横方向Ｙに５等分した場合の横方向中央の１領域の横方向長さに比して広いことが好ましい。斯かる構成により、ナプキン１の着用時において、この間隔ｄ１を持つ部分（後方部Ｒの横方向Ｙの中央部）が着用者の臀裂により一層安定的に沿うようになり、フィット性、延いては漏れ防止性がより一層向上し得る。間隔ｄ１と間隔ｄ６との比率は、前者／後者として、好ましくは１．１以上、さらに好ましくは１．３以上、そして、好ましくは３以下、さらに好ましくは２．５以下である。また、間隔ｄ１と中高部４３の横方向中央の１領域の横方向長さとの比率は、前者／後者として、好ましくは１．５以上、さらに好ましくは２以上、そして、好ましくは６以下、さらに好ましくは５以下である。
【００５６】
ナプキン１では、図４に示すように、中央スリット領域ＭＳにおける複数の中央スリットＭ１は、平面視形状及び縦中心線ＣＬに対する傾斜角度が互いに同じであり、各中央スリットＭ１は縦中心線ＣＬに平行に直線で延びている。中央スリット領域ＭＳにおける複数の中央スリットＭ１は縦方向Ｘ及び横方向Ｙの両方向に分散した状態で配され、より具体的には千鳥状に配されている。この中央スリットＭ１の千鳥状配置は、前述した後方スリットＲ１の千鳥状配置と同じである。
【００５７】
中央スリットＭ１は、図２に示すように、吸収体４を構成する吸収性シートの積層体を貫通していることが好ましい。また中央スリットＭ１は、図２に示すように、吸収体４の上下に配される表面シート２及び裏面シート３には形成されておらず、さらに、表面シート２と吸収体４との間に配されることのある不織布からなる中間シートにも形成されていないことが好ましい。
【００５８】
ナプキン１においては、図１及び図４に示すように、中央スリット領域ＭＳにおける複数の中央スリットＭ１の一部、より具体的には、中央スリット領域ＭＳにおいて縦方向Ｘの最後方に位置する中央スリットＭ１が、中央折り畳み線ＣＦＬと重ならずに、中高部４３の後端４３ｂを縦方向Ｘに跨いでいる。斯かる構成により、ナプキン１の着用時において、中高部４３が着用者の身体に沿うように変形しやすくなり、ナプキン１のフィット性、漏れ防止性がより一層向上し得る。
【００５９】
ナプキン１では、後方スリット領域ＲＳｒ，ＲＳｌは、それぞれ、中央スリット領域ＭＳから縦方向Ｘに一定距離以上離間している。そして、中央折り畳み線ＣＦＬ上には吸収体４のスリットが存在していない。そうすることによって、中央スリット領域ＭＳと後方スリット領域ＲＳｒ，ＲＳｌとの間に位置する中央折り畳み線ＣＦＬの形成位置及びその近傍の、スリット（切れ目）形成に起因する剛性の低下が抑制され、その結果、ナプキン１の着用時において、中央折り畳み線ＣＦＬが縦方向Ｘの前後両方から押し上げられるようになり、フィット性がより一層向上し得る。斯かる観点から、中央スリット領域ＭＳの後端（即ち、中央スリット領域ＭＳにおいて縦方向Ｘの最後方に位置する中央スリットＭ１の後端）と後方スリット領域ＲＳｒ，ＲＳｌの前端（即ち、後方スリット領域ＲＳｒ，ＲＳｌそれぞれにおいて縦方向Ｘの最前方に位置する後方スリットＲ１の前端）との離間距離ｄ７（図１参照）は２０ｍｍ以上が好ましく、２５ｍｍ以上がより好ましい。また離間距離ｄ７が長すぎると、中央折り畳み線ＣＦＬを肌に密着させる効果が弱まり、ナプキン１と肌との隙間が生じ易くなるおそれがあることから、離間距離Ｓ７の上限は、好ましくは４０ｍｍ、さらに好ましくは３５ｍｍである。
【００６０】
以上、本発明について説明したが、本発明は前述した実施形態に制限されず、本発明の趣旨を逸脱しない範囲で適宜変更可能である。例えば、前記実施形態においては、吸収体が吸収性シートのみから構成されていたが、吸収性材料を積繊してなる積繊体のみから構成されていても良く、両者を含んで構成されていても良い。但し、吸収体が吸収性シートのみから構成されているような、いわゆる薄型の従来の吸収性物品は、臀部に対するフィット性が不十分である場合が多いところ、本発明によれば前述した通り、臀部に対するフィット性が向上することから、本発明は特に、吸収体が吸収性シートのみから構成されている吸収性物品に好適である。また、吸収体における吸収性シートの多層構造は、前記実施形態のように、１枚の吸収性シートが折り重ねられて形成された構成でも良く、あるいは複数枚の吸収性シートを折り畳まずに積層した構成でも良く、あるいは両構成を複合した構成でも良い。
【００６１】
本発明は、経血の吸収に用いられる物品全般に適用することができる。そのような物品の例としては、前記実施形態の如き生理用ナプキンの他に、パンティライナ及びタンポン等が挙げられるが、それらに限られない。前述した本発明の実施形態に関し、更に以下の付記を開示する。
【００６２】
＜１＞
着用者の前後方向に相当する縦方向とこれに直交する横方向とを有し、液保持性の吸収体と該吸収体の肌対向面側に配置された表面シートとを具備する吸収性物品であって、
前記吸収性物品は、その折り畳みによって形成された１本の折り畳み線を境にして、縦方向前方の第１領域と、後方の第２領域とに区分され、
前記第１領域は、着用時に着用者の排泄部と対向する部分を含む中間部と、該中間部より縦方向前方に位置する前方部とからなり、前記第２領域は、該中間部より縦方向後方に位置する後方部からなり、
前記第２領域における前記吸収体は、縦方向に延びる後方スリットが配置された後方スリット領域を、該吸収体を横方向に二分して縦方向に延びる仮想縦中心線を挟んで両側に一対有している、吸収性物品。
【００６３】
＜２＞
前記吸収体は、 前記中間部に、縦方向に延びる中央スリットが複数分散配置された中央スリット領域を有し、該中央スリット領域の縦方向後端から前記縦方向に２０ｍｍ以上離間した位置に、前記後方スリット領域の縦方向前端が存している＜１＞に記載の吸収性物品。
＜３＞
前記中央スリットの縦方向の長さは、１０ｍｍ以上３５ｍｍ以下、好ましくは１５ｍｍ以上２５ｍｍ以下である＜２＞に記載の吸収性物品。
＜４＞
前記中央スリットの横方向の長さは、０．１ｍｍ以上１ｍｍ以下、好ましくは０．２  ｍｍ以上０．８ｍｍ以下である＜２＞又は＜３＞に記載の吸収性物品。
＜５＞
前記中央スリット領域において、複数の前記中央スリットが縦方向に一列に配されてなる、縦スリット列内における該中央スリットの縦方向の間隔は、１０ｍｍ以上３５ｍｍ以下、好ましくは１５ｍｍ以上２５ｍｍ以下である＜２＞〜＜４＞の何れか１に記載の吸収性物品。
＜６＞
前記中央スリット領域において、複数の前記中央スリットが横方向に一列に配されてなる、横スリット列内における該中央スリットの横方向の間隔は、５ｍｍ以上２５ｍｍ以下、好ましくは１０ｍｍ以上２０ｍｍ以下である＜２＞〜＜５＞の何れか１に記載の吸収性物品。
＜７＞
一対の前記後方スリット領域間の横方向における間隔が最も狭い部分の間隔の、前記中央スリット領域において横方向に隣り合う２本の前記中央スリットどうしの横方向における間隔に対する比率は、前者／後者として、１．１以上３以下、好ましくは１．３以上、２．５以下である＜２＞〜＜６＞の何れか１に記載の吸収性物品。
【００６４】
＜８＞
前記吸収体は、前記中間部の横方向中央部に、周辺部に比して厚みが大きく且つ肌対向面側に隆起した中高部を有し、該中高部に前記中央スリット領域が存している＜２＞〜＜７＞の何れか１に記載の吸収性物品。
＜９＞
一対の前記後方スリット領域間の横方向における間隔が最も狭い部分の間隔は、前記中央スリット領域において横方向に隣り合う２本の前記中央スリットどうしの横方向における間隔に比して広く、且つ前記中高部を横方向に５等分した場合の横方向中央の１領域の横方向長さに比して広い＜８＞に記載の吸収性物品。
＜１０＞
一対の前記後方スリット領域間の横方向における間隔が最も狭い部分の間隔と、前記中高部を横方向に５等分した場合の横方向中央の１領域の横方向長さとの比率は、前者／後者として１．５以上６以下、好ましくは２以上５以下である＜８＞又は＜９＞に記載の吸収性物品。
＜１１＞
前記中央スリット領域における複数の前記中央スリットの一部が、前記折り畳み線と重ならずに、前記中高部の縦方向後端を縦方向に跨いでいる＜８＞〜＜１０＞の何れか１に記載の吸収性物品。
＜１２＞
前記中高部の縦方向の長さは、６０ｍｍ以上１５０ｍｍ以下、好ましくは８０ｍｍ以上１２０ｍｍ以下である＜８＞〜＜１１＞の何れか１に記載の吸収性物品。
＜１３＞
前記中高部の横方向の長さは、２５ｍｍ以上５５ｍｍ以下、好ましくは３０ｍｍ以上５０ｍｍ以下である＜８＞〜＜１２＞の何れか１に記載の吸収性物品。
＜１４＞
前記吸収体は、前記中間部に吸収性シートで形成された中央吸収性シートと、該中央吸収性シートを覆う本体吸収性シートとで構成されており、該中央吸収性シートが前記中高部に配されている＜８＞〜＜１３＞の何れか１に記載の吸収性物品。
＜１５＞
前記吸収体は、前記中高部における厚みが０．７ｍｍ以上５ｍｍ以下、好ましくは１ｍｍ以上４ｍｍ以下である＜８＞〜＜１４＞の何れか１に記載の吸収性物品。
＜１６＞
前記吸収体は、前記中高部以外の該中高部の周囲部分（前記標準吸収部）における厚みが０．３ｍｍ以上３ｍｍ以下、好ましくは０．５ｍｍ以上２．５ｍｍ以下である＜８＞〜＜１５＞の何れか１に記載の吸収性物品。
【００６５】
＜１７＞
前記後方スリット領域より縦方向後方に、前記吸収性物品の折り畳みによって形成された後方折り畳み線が形成されている＜１＞〜＜１６＞の何れか１に記載の吸収性物品。
＜１８＞
前記後方部に、前記表面シート及び前記吸収体が着用者の肌とは反対側に一体的に凹陥した線状の溝として、平面視において前記吸収性物品の縦方向後端に向けて凸の凸状をなす外溝と、該外溝に囲まれた領域に位置し、該吸収性物品の縦方向後端に向けて凸の凸状をなす内溝とを有し、該外溝又は該内溝と前記後方スリットとが重なる＜１＞〜＜１７＞の何れか１に記載の吸収性物品。
【００６６】
＜１９＞
一対の前記後方スリット領域間の横方向における間隔が最も狭い部分の間隔は、１０ｍｍ以上４０ｍｍ以下、好ましくは２０ｍｍ以上３０ｍｍ以下である＜１＞〜＜１８＞の何れか１に記載の吸収性物品。
＜２０＞
前記中央折り畳み線と前記後方スリット領域との間隔は、１０ｍｍ以上４０ｍｍ以下、好ましくは１５ｍｍ以上３５ｍｍ以下である＜１＞〜＜１９＞の何れか１に記載の吸収性物品。
＜２１＞
前記後方スリットの縦方向の長さは、１０ｍｍ以上３５ｍｍ以下、好ましくは１５ｍｍ以上２５ｍｍ以下である＜１＞〜＜２０＞の何れか１に記載の吸収性物品。
＜２２＞
前記後方スリットの横方向の長さは、０．１ｍｍ以上１ｍｍ以下、好ましくは０．２ｍｍ以上０．８ｍｍ以下である＜１＞〜＜２１＞の何れか１に記載の吸収性物品。
＜２３＞
前記後方スリット領域に前記後方スリットが複数分散配置され、その複数の後方スリットは、複数の該後方スリットが縦方向に一列に配されてなる、縦スリット列を有し、該縦スリット列内における該後方スリットの縦方向の間隔は、１０ｍｍ以上３５ｍｍ以下、好ましくは１５ｍｍ以上２５ｍｍ以下である＜１＞〜＜２２＞の何れか１に記載の吸収性物品。
＜２４＞
前記後方スリット領域に前記後方スリットが複数分散配置され、その複数の後方スリットは、複数の該後方スリットが横方向に一列に配されてなる、横スリット列を有し、該横スリット列内における該後方スリットの横方向Ｙの間隔は、５ｍｍ以上２５ｍｍ以下、好ましくは１０ｍｍ以上２０ｍｍ以下である＜１＞〜＜２３＞の何れか１に記載の吸収性物品。
【００６７】
＜２５＞
前記後方スリットの平面視形状が、直線、波線、曲線又は破線である＜１＞〜＜２４＞の何れか１に記載の吸収性物品。
＜２６＞
前記後方スリットは、前記仮想縦中心線とのなす角度が４５度未満、好ましくは３０度未満、さらに好ましくは１０度未満である＜１＞〜＜２５＞の何れか１に記載の吸収性物品。
＜２７＞
前記後方スリットは縦方向に沿って延びている＜１＞〜＜２６＞の何れか１に記載の吸収性物品。
＜２８＞
一対の前記後方スリット領域それぞれに前記後方スリットが複数分散配置され、その複数の後方スリットは、該後方スリットが縦方向に一列に配されてなる、縦スリット列を、横方向に好ましくは２列以上、さらに好ましくは３列以上有する＜１＞〜＜２６＞の何れか１に記載の吸収性物品。
＜２９＞
個々の前記縦スリット列に含まれる前記後方スリットは、１本以上、好ましくは２本以上である＜２８＞に記載の吸収性物品。
＜３０＞
前記後方スリットを平面視したときの横方向の長さは、０．１ｍｍ以上１ｍｍ以下、好ましくは０．２ｍｍ以上０．８ｍｍ以下である＜１＞〜＜２９＞の何れか１に記載の吸収性物品。
【００６８】
＜３１＞
前記吸収体は、吸収性シートで形成された多層構造である＜１＞〜＜３０＞の何れか１に記載の吸収性物品。
＜３２＞
前記多層構造は、前記吸収性シートを複数枚重ね合わせて形成されたもの、又は、１枚の吸収性シートを折り重ねて形成されたものである＜３１＞に記載の吸収性物品。
＜３３＞
前記吸収性物品が生理用ナプキンである＜１＞〜＜３２＞の何れか１に記載の吸収性物品。
【実施例】
【００６９】
以下、本発明の吸収性物品を実施例によりさらに詳細に説明する。しかしながら本発明の範囲はかかる実施例によって何ら制限されるものではない。
【００７０】
〔実施例１〕
図１〜図３に示す生理用ナプキンと同様の基本構成を有する生理用ナプキンを作製し、これを実施例１のサンプルとした。この作製した生理用ナプキンにおける吸収体は、図４に示す吸収体４と同じであり、一対の後方スリット領域ＲＳｒ、ＲＳｌそれぞれに後方スリットが４本ずつ配置されている。表面シートとしては、坪量２５ｇ／ｍ２のスパンボンド不織布を用いた。裏面シートとしては、坪量３５ｇ／ｍ２の透湿性の樹脂フィルムを用いた。防漏カフ形成用シートとしては、坪量２５ｇ／ｍ２のスパンボンド不織布を用いた。吸収体を構成する吸収性シートとしては、特許第２９６３６４７号公報の実施例２に準じて作製した吸収性シートを用い、この吸収性シート１枚あたりの５ｃＮ／ｃｍ２の荷重下での厚みは０．５ｍｍであった。吸収体の中高部における５ｃＮ／ｃｍ２の荷重下での厚みは２．３ｍｍであり、中高部の後端部の横方向幅は３５ｍｍであった。尚、吸収体の中高部は平面視において矩形状であった。
【００７１】
実施例１の生理用ナプキンにおける吸収体に配されたスリットの詳細は次の通りである（図４参照）。
一対の後方スリット領域ＲＳｒ，ＲＳｌそれぞれに関し、後方スリットＲ１の縦方向Ｘの長さＬ１は２０ｍｍ、後方スリットＲ１の幅ｂ１は０．５ｍｍ、縦方向Ｘにおいて互いに最も近接する後方スリットＲ１，Ｒ１どうしの縦方向Ｘの間隔ｄ３は２０ｍｍ、横方向Ｙにおいて互いに最も近接する後方スリットＲ１，Ｒ１どうしの横方向Ｙの間隔ｄ４は１４ｍｍであった。また、一対の後方スリット領域ＲＳｒ，ＲＳｌ間の横方向Ｙにおける間隔が最も狭い部分の間隔ｄ１は２４ｍｍであった。
中央スリット領域ＭＳに関し、中央スリットＭ１の縦方向Ｘの長さＬ２は２０ｍｍ、中央スリットＭ１の幅ｂ２は０．５ｍｍ、縦方向Ｘにおいて互いに最も近接する中央スリットＭ１，Ｍ１どうしの縦方向Ｘの間隔ｄ５は２０ｍｍ、横方向Ｙにおいて互いに最も近接する中央スリットＭ１，Ｍ１どうしの横方向Ｙの間隔ｄ６は１２ｍｍであった。
中央折り畳み線ＣＦＬの後端と縦方向Ｘの最前方に位置する後方スリットＲ１との間隔ｄ２は２０ｍｍであった。
【００７２】
〔比較例１〕
図４に示す吸収体４に替えて、後方スリットを有さない吸収体を用いること以外は、実施例１と同様の構成の生理用ナプキンを作製し、これを比較例１のサンプルとした。
【００７３】
〔評価〕
各実施例及び比較例のサンプル（生理用ナプキン）について、体液の拡がり距離を下記方法により測定した。その結果を下記表１に示す。
【００７４】
＜体液の拡がり距離の測定方法＞
排泄点から液を注入できる女性用下半身の人体モデルを用い、該モデルを直立させた状態で評価対象のサンプルを装着させた後、該モデルを仰向けに寝させた状態にした。次いで、速度調整機能付き液体排出ポンプを用いて、排泄点より馬血液を１分ごとに３ｇ注入し、合計６ｇ注入した。６ｇ注入直後から１分経過後に、該モデルからサンプルを取り外し、馬血液の注入によってサンプルに生じた表面シート及び吸収体それぞれの肌対向面における縦方向の拡散距離を３回測定し、表面シート及び吸収体それぞれについてその３回の測定の平均値を算出して、表面シート又は吸収体における体液の拡がり距離とした。表面シート及び吸収体の何れにおいても、この体液の拡がり距離が短いほど、生理用ナプキンと着用者の肌との間に隙間が生じ難く、体液が肌を伝って流れ難いものと考えられ、高評価となる。
尚、疑血として、脱繊維馬血（日本バイオテスト（株）製）を使用した。
【００７５】
【表１】
2018050952.tif 000003
【００７６】
表１に示すように、実施例の生理用ナプキンは、比較例の生理用ナプキンに比べ、表面シートにおける体液の拡がり距離、及び吸収体における体液の拡がり距離が何れも小さかった。このことから、実施例の生理用ナプキンは、比較例の生理用ナプキンに比べ、着用中に肌との間に隙間が生じ難く、フィット性が向上し、体液が肌を伝って流れ難く、防漏性が向上することが期待できる。
【符号の説明】
【００７７】
１  生理用ナプキン（吸収性物品）
２  表面シート
３  裏面シート
４  吸収体
４１  中央吸収性シート
４２  本体吸収性シート
４３  中高部
４４  標準吸収部
５  防漏カフ形成用シート
６  外溝
７  内溝
１０  吸収性本体
Ｆ  前方部（第１領域）
Ｍ  中間部（第１領域）
Ｒ  後方部（第２領域）
ＦＦＬ  前方折り畳み線
ＣＦＬ  中央折り畳み線
ＲＦＬ  後方折り畳み線
Ｍ１  中央スリット
ＭＳ  中央スリット領域
Ｒ１  後方スリット
ＲＳｒ，ＲＳｌ  後方スリット領域
ＣＬ  縦中心線
Ｘ  縦方向
Ｙ  横方向
【図１】
2018050952.tif 000004
【図２】
2018050952.tif 000005
【図３】
2018050952.tif 000006
【図４】
2018050952.tif 000007
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
着用者の前後方向に相当する縦方向とこれに直交する横方向とを有し、液保持性の吸収体と該吸収体の肌対向面側に配置された表面シートとを具備する吸収性物品であって、
前記吸収性物品は、その折り畳みによって形成された１本の折り畳み線を境にして、縦方向前方の第１領域と、後方の第２領域とに区分され、
前記第１領域は、着用時に着用者の排泄部と対向する部分を含む中間部と、該中間部より縦方向前方に位置する前方部とからなり、前記第２領域は、該中間部より縦方向後方に位置する後方部からなり、
前記第２領域における前記吸収体は、縦方向に延びる後方スリットが配置された後方スリット領域を、該吸収体を横方向に二分して縦方向に延びる仮想縦中心線を挟んで両側に一対有しており、
前記吸収体は、 前記中間部に、縦方向に延びる中央スリットが複数分散配置された中央スリット領域を有し、該中央スリット領域の縦方向後端から縦方向に２０ｍｍ以上離間した位置に、前記後方スリット領域の縦方向前端が存している吸収性物品。
【請求項２】
前記吸収体は、前記中間部の横方向中央部に、周辺部に比して厚みが大きく且つ肌対向面側に隆起した中高部を有し、該中高部に前記中央スリット領域が存している請求項１に記載の吸収性物品。
【請求項３】
一対の前記後方スリット領域間の横方向における間隔が最も狭い部分の間隔は、前記中央スリット領域において横方向に隣り合う２本の前記中央スリットどうしの横方向における間隔に比して広く、且つ前記中高部を横方向に５等分した場合の横方向中央の１領域の横方向長さに比して広い請求項２に記載の吸収性物品。
【請求項４】
前記中央スリット領域における複数の前記中央スリットの一部が、前記折り畳み線と重ならずに、前記中高部の縦方向後端を縦方向に跨いでいる請求項２又は３に記載の吸収性物品。
【請求項５】
前記後方スリット領域より縦方向後方に、前記吸収性物品の折り畳みによって形成された後方折り畳み線が形成されている請求項１〜４の何れか１項に記載の吸収性物品。
【請求項６】
前記後方部に、前記表面シート及び前記吸収体が着用者の肌とは反対側に一体的に凹陥した線状の溝として、平面視において前記吸収性物品の縦方向後端に向けて凸の凸状をなす外溝と、該外溝に囲まれた領域に位置し、該吸収性物品の縦方向後端に向けて凸の凸状をなす内溝とを有し、該外溝又は該内溝と前記後方スリットとが重なる請求項１〜５の何れか１項に記載の吸収性物品。